(57)【要約】【課題】体液吸収具の一部が材破現象によって着用下着に残ることがなく、かつ、前記体液吸収具を形成する材質を広く選択可能であるような構成を有する水洗トイレに廃棄可能である体液吸収具を提供すること。【解決手段】体液吸収具を、水解性を有する体液透過性の表面層と、水解性を有する裏面層と、これらの間に配置された水解性を有する吸収層とを備えた吸収具本体および、該吸収具本体から両側方へ延び、着用下着の股当て部に巻回させて前記吸収具本体を固定するための固定片とで構成する。【選択図】  図１
2004298596.tif 000002
【特許請求の範囲】
【請求項１】
水解性を有する体液透過性の表面層と、水解性を有する裏面層と、これらの間に配置された水解性を有する吸収層とを備えた吸収具本体および、該吸収具本体から両側方へ延び、着用下着の股当て部に巻回させて前記吸収具本体を固定するための固定片を備えていることを特徴とする体液吸収具。
【請求項２】
前記裏面層に、前記体液吸収具を着用下着の内面に接着するための粘着剤を塗布していないことを特徴とする請求項１に記載の体液吸収具。
【請求項３】
前記裏面層に、前記体液吸収具を着用下着の内面に接着してずれを防止するための粘着剤を、吸収具本体の中央部を避けるように塗布したことを特徴とする請求項１に記載の体液吸収具。
【請求項４】
前記固定片は、使用者が前記吸収具本体を着用下着から引き離すことにより、引き裂かれ得る強度を有していることを特徴とする請求項１から３のいずれかに記載の体液吸収具。
【請求項５】
前記固定片の少なくとも一部に剪断を容易にするための脆弱部が設けられていることを特徴とする請求項１から４のいずれかに記載の体液吸収具。
【発明の詳細な説明】
【０００１】
【発明の属する技術分野】
本発明は、体液吸収具に関し、より詳細には、パンティライナー、生理用ナプキン、失禁用パッド等のように身体にあてがって使用する体液吸収具に関する。
【０００２】
【従来の技術】
上述のような体液吸収具は、使用後に汚物入れへ廃棄するという処理方法が一般的に行われているが、近年、より利便性を高めるために、水洗トイレに流して廃棄することができる体液吸収具が開発されている。このような体液吸収具は、水解性を有する吸収層と、この吸収層を挟む水解性の表面層および裏面層とから構成されている。ここで、水解性とは、不織布又は編織物とされた繊維が、水との接触により交絡又は編織り状態を解除乃至弛緩させ、或いは繊維が水に溶解し、その結果、水中に分散乃至分解し易くなる性質をいう。前述の体液吸収具においては、裏面層の裏側に粘着層を設け、パンティー等の着用下着に貼り付けて使用し、使用後は前記粘着層を着用下着から剥がしてトイレに流して廃棄する。
【０００３】
このような体液吸収具を形成する前記表面層、裏面層および吸収層の素材について、水解性を高めるために繊維同士の結合を弱くすると、体液を吸収した後に着用下着から剥がす際に裏面層や吸収層が破損し、着用下着から剥がれずに残ってしまうという、いわゆる材破現象が生じる。また、裏面層の裏側に粘着層を設ける代わりに、吸収具本体の側面等から突出するサイドフラップなどで着用下着に貼り付けている場合でも同様の材破現象が生じる。さらに、前記接着層としてアクリル系接着剤などの水溶性の接着剤を用いた場合、接着剤自体が水分の影響を受けやすく、前述のような体液吸収具を使用後に剥がした時に、裏面層の裏側の粘着層の一部が着用下着に残存するという不都合もあった。
【０００４】
前述のような材破現象や、粘着部の残存をなくすためには、体液吸収具を形成する素材を、水に浸された際に迅速に水解させるために繊維同士の結合を弱くすると同時に、乾燥状態および湿潤状態において、ある程度の強度を有するようにしなければならない。そのような体液吸収具の一例として、例えば特許文献１に開示されるような体液吸収具が知られている。すなわち、裏面層の強度を使用に耐えうる程度に保ち、かつ、高い水解性を有するように、体液吸収具の裏面層を水分散性繊維と水不溶性カルボキシメチルセルロースとを含有する繊維シートで形成し、前記水不溶性カルボキシメチルセルロースのエーテル化度（Ｄ．Ｓ）を０．３〜０．６とし、且つ前記水不溶性カルボキシメチルセルロースでは９５％以上のカルボン酸の水素が金属に置換されているようにしている。
【０００５】
また、他の例としては、特許文献２に開示されているような、裏面層が水分散性繊維とフィブリル化レーヨンとで形成され、ウォータジェット処理された水解性シートで形成した体液吸収具も知られている。
【０００６】
しかしながら、前述のような体液吸収具では、裏面層等を形成する材質が著しく限定されるとともに、製造工程が複雑となるため、大量かつ安価に製品として製造するためには好ましくなかった。
【０００７】
【特許文献１】
特開２００２−７８７３３号公報
【０００８】
【特許文献２】
特開２００２−２６３１３７号公報
【０００９】
【発明が解決しようとする課題】
本発明は、上述のような課題を解決するためになされたもので、体液吸収具の一部が材破現象によって着用下着に残ることがなく、かつ、前記体液吸収具を形成する材質を広く選択可能である構成を有する水洗トイレに廃棄可能な体液吸収具を提供することを目的としている。
【００１０】
【課題を解決するための手段】
上記課題を解決するため、本発明は、水解性を有する体液透過性の表面層と、水解性を有する裏面層と、これらの間に配置された水解性を有する吸収層とを備えた吸収具本体および、該吸収具本体から両側方へ延び、着用下着の股当て部に巻回させて前記吸収具本体を固定するための固定片を備えていることを特徴とする体液吸収具を提供する。
【００１１】
このように、体液吸収具を固定片で着用下着と固定することで、吸収具本体の裏面に塗布する接着剤を省略することができ、また接着剤を塗布する場合においても体液吸収具の位置ずれを防止する程度の弱い粘着強度とするのみでよいため、体液吸収具を使用後に着用下着から取り外す際に、材破現象を防止することができる。
【００１２】
さらに、前記固定片を、使用者が前記吸収具本体を着用下着から引き離すことにより引き裂かれ得る強度としたり、前記固定片の少なくとも一部に剪断を容易にするための脆弱部が設けた場合は、前記体液吸収具を使用後に簡単に取り外すことができる。
【００１３】
【発明の実施の形態】
以下、本発明に係る実施形態について、添付図面を参照しつつ詳細に説明をする。
【００１４】
図１（Ａ）は、本発明の第１の実施例に係る体液吸収具、特にパンティライナーとして用いられるものの斜視図であり、図１（Ｂ）はその体液吸収具１の分解斜視図である。さらに、体液吸収具１の構造をより詳細に開示するため、図２（Ａ）に、図１（Ａ）に示したＩ−Ｉ線に沿う体液吸収具１の断面図を、図２（Ｂ）にＪ−Ｊ線に沿う体液吸収具の断面図を示す。なお、図２（Ａ）、（Ｂ）においては、体液吸収具の厚さについて拡大して示す。
【００１５】
本発明の実施形態に係る体液吸収具１は、図１（Ａ）に示すように、体液透過性の表面層１１、防水性の裏面層１３、及びこれらの層の間の吸収層１２からなる吸収具本体１０と、吸収具本体１０の両側方から延びるように形成された帯状の固定片２０とを備えている。また、これらの層間の固定を強化するために、外周シール部１１ａが吸収具本体１０の周縁に設けられている。
【００１６】
固定片２０は、着用下着に対して接着することなく固定可能な構造を有している固定手段である。具体的には、固定片の先端部２０ａ，２０ｂの少なくとも一方に粘着部２１を備えており（本実施例では２０ａに備えている）、図３に示すように、固定片２０を着用下着３０に巻回するように固定することで、体液吸収具１を着用下着３０に対して取り付けることが可能となる。
【００１７】
また、固定片２０は着用下着３０に対して吸収具本体１０を保持するためにある程度の幅および引張強度が必要である。引張強度測定１として、固定片２０に用いる素材（例えばレーヨン不織布）を５ｃｍ×１５ｃｍに切り出した試験片の長手方向の両端部を、掴み幅５ｃｍの引張試験機に取り付け、３００ｍｍ／ｍｉｎのスピードで引っ張ることで、前記試験片の破断寸前のピーク値を測定する実験を行った結果によると、適切な保持力を得るための固定片２０の引張強度は２５０ｇｆ以上であることが望ましい。また、固定片２０の幅ｗ１は５ｍｍ以上とするのが望ましく、使い勝手や着脱性などの実用的な観点からすると、１５ｍｍ程度の幅を有していることがより好ましい。
【００１８】
粘着部２１は、水溶性の接着剤（例えばアクリル系水溶性接着剤）や非水溶性接着剤（例えばゴム系ホットメルト、オレフィン系ホットメルト）などの接着剤から形成されている。粘着部２１を形成する領域の形状および面積は必要に応じて定めればよい。また、粘着強度は実用に耐え得る強度、すなわち３５ｇｆ程度、望ましくは５０〜１００ｇｆ程度、またはそれ以上の強度を有していることが好ましい。前述のような粘着強度の好適な値は、固定片２０に用いる素材を切り出して作成した前述の試験片に粘着剤を塗布し、着用下着３０に使用される素材である綿（例えばＪＩＳ染色堅ろう度試験用添付綿白布かなきん３号）に貼り合わせ、接着させた後、粘着した面に垂直な方向に前記試験片を引っ張ることによって行う粘着強度測定によって得られたものである。詳細には、前記試験片を綿等の素材に貼り合わせた後、３５ｇ／ｃｍ２の負荷を与えた状態で、４０℃、湿度７５％の環境下に２時間放置したのち、前記負荷を取り除き、２０℃、湿度５０％の環境下でさらに３０分放置することで接着させ、さらに、前記試験片の一部をわずかに剥がし、引張試験機で保持し、粘着した面に垂直な方向に３００ｍｍ／ｍｉｎの早さで引っ張ったときのピールカ（接着剤が剥がれる際の強さ）を測定する。
【００１９】
さらに、粘着部２１を図３に示すように着用下着と接着することなく固定するためには、固定片２０の長さＬは吸収具本体１０の幅Ｗに比して、十分に長くなければならない。詳細には、固定片２０の長さＬは、吸収具本体１０の幅Ｗの２倍〜３倍程度とするのが好ましい。
【００２０】
また、表面層１１および吸収層１２，裏面層１３、固定片２０はそれぞれ水解性を有する素材から形成されている。より詳細には、表面層１１、吸収層１２、裏面層１３、固定片２０を形成するそれぞれの素材として、例えばパルプ、ケナフ、シルク、コットン、羊毛、麻などの天然繊維や、レーヨン、キュプラ、アセテート、トリアセテートなどの再生繊維、もしくはポリエチレン、ポリエステル、ポリプロピレン、ポリビニルアルコール、エチレン酢酸ビニル、ウレタン、アクリル、ポリ乳酸などの合成繊維、またはこれらの複合繊維を選択することが好ましい。このうち、天然繊維やレーヨン、ポリ乳酸などの生分解性を有するものを用いると、浄化槽中で微生物による分解を受けやすいという点でより好適である。
【００２１】
また、表面層１１は直接人体に接する部分であるため、肌への接触感を良好にする必要がある。したがって、表面層１１を形成する素材については、天然繊維を主成分とする不織布が望ましく、天然繊維の中でもタンパク質系成分でないコットンが特に好ましい。このような素材を選択することによって、体液吸収具を使用した際にアレルギーなど接触性皮膚炎が起こりにくく、かぶれ難いという長所がある。また、上記のような化学繊維の中でもエチレン酢酸ビニル、ポリプロピレン、ポリエチレン、ポリエステルなどからなる繊維、又はこれらを組み合わせた複合繊維を含む不織布とすることが、ドライ感、風合い、ヒートシール性の点から望ましい。さらに、表面層１１における体液の浸透を円滑にするため、表面層１１に人工的な方法、例えばウォータージェットやエンボス加工等で、多数の微細な開口が設けられていることが望ましい。
【００２２】
また、裏面層１３、固定片２０を形成する素材については、表面層１１、吸収層１２を形成する素材と比してやや強度と耐水性を持たせる必要があるため、選択した繊維で形成した水解性不織布に、水溶性の樹脂（例えばポリビニルアルコール、酢酸ビニル、ポリエチレンオキサイド、ポリアクリルアマイド、カルボキシルメチルセルロース、ポリビニルピロドリン等）をラミネートまたは貼り合わせ加工することが好ましい。
【００２３】
以上のように、前述の実施形態に係る体液吸収具は水解性の不織布で形成されているため、廃棄する際にトイレに直接流すことが可能になる。さらに、着用下着と接着により取り付けられていないため、体液吸収具を廃棄する際に吸収具本体部分が材破現象を起こすことがなく、さらに、粘着部としての接着剤が着用下着に残存することがない。
【００２４】
次に、本発明に係る体液吸収具の第２の実施例を図４に示す。図４（Ａ）は本発明の実施形態に係る体液吸収具の第２の実施例についての斜視図であり、図４（Ｂ）はその分解斜視図である。なお、図４における各構成に付している符号は、図１〜３に示す各構成と同じもしくは同様のものについては同じ符号を示すものとする。
【００２５】
図４（Ａ）、（Ｂ）において、裏面層１３’の裏側には粘着部１４が複数箇所設けられており、この粘着部１４は剥離紙１５によって覆われている。剥離紙１５は体液吸収具１の使用時に剥離され、これにより裏面層１３’裏側の粘着部１４が露出するようになっている。粘着部１４は、粘着部２１と同様に、水溶性の接着剤（例えばアクリル系水溶性接着剤）や非水溶性接着剤（例えばゴム系ホットメルト、オレフィン系ホットメルト）などの接着剤から形成される。
【００２６】
また、粘着部１４は、裏面層１３’の全面に設けられるのではなく、吸収具本体１０の中央部を避けた部分にのみ設けられることが好ましい。吸収具本体１０の中央部（裏面層１３’の中央部）は、特に体液の吸収量が他の箇所よりも多い部分であるため、この部分に粘着部を設けると前述の材破現象を起こす原因となり得るためである。また、シートの水解性の観点からも、粘着部１４を裏面層１３’の裏側の広い領域に一体的に塗布するのは好ましくない。これは、粘着部１４が裏面層１３’の不織布を固着することで、不織布の水解性を妨げるため、体液吸収具１が水に浸された際に水解し難く、トイレ等の配管を流れない程度の塊状になってしまう可能性があるためである。したがって、粘着部１４の設ける位置を、それぞれ離間して設けたり、粘着部１４の形状を線状または点状にして設けることが好ましい。線状の形状に設けられた粘着部の具体例として、裏面層１３’の長手方向の長さをｈとした場合、粘着部１４は裏面層１３’の長手方向の末端より少なくともｈ／３程度の位置から外側（中央部と反対側）に設けられていることが好ましい。前記粘着部は、前述のように裏面層の長手方向の末端よりｈ／３程度よりも外側に設けられるのであれば、特に位置は限定されないが、好ましくは裏面層の長手方向の末端部よりもｈ／４程度、さらに好ましくはｈ／５程度の位置に設けることで、前述のような効果がより高まる。裏面層１３’の長手方向の末端より、それぞれｈ／５程度、ｈ／４程度、ｈ／３程度の位置に設けた接着部（１４ａ〜１４ｃ）の様子を図５に示す。
【００２７】
もちろん、本発明はこれに限定されるものではなく、裏面層１３’の水解性を妨げることがなく、また、吸収具本体１０に材破現象を生じないような位置に粘着部１４を設けるのであれば、どのような形状・場所に設けられてもよいことは言うまでもない。
【００２８】
さらに、粘着部１４の粘着強度は、粘着層の着用下着に対するずれ止めの効果を有し、かつ、使用後に着用下着から取り外す際に材破現象を引き起こさない程度の強度に設定しておくことが望ましい。具体的な粘着強度の好適値は１０ｇｆ以上かつ８０ｇｆ以下であり、この数値範囲内であれば材破現象が生じ難く、また、体液吸収具１の使用に際してのずれ止めの作用を果たすことができる。なお、前述のような材破現象防止の効果とを共に有するために好適な粘着強度の値は、前述の粘着強度試験と同様に、裏面層と同一素材で形成される試験片に粘着部を設け、着用下着に使用される素材である綿（例えばＪＩＳ染色堅ろう度試験用添付綿白布かなきん３号）に貼り合わせて一定条件の下、一定時間経過させたのち、３００ｍｍ／ｍｉｎの早さで貼り合わせ面に垂直な方向に引っ張ることによって行った測定によって得られたものである。なお、粘着部１４のずれ止め作用と、前記固定片２０による固定とを併用することによって、体液吸収具１を着用下着３０に一層安定して固定することができる。
【００２９】
また、前述の第１、第２の実施例において、体液吸収具１を使用後に廃棄する際に固定片２０の粘着部２１を剥がして固定を解除するのには手間が掛かる。したがって、固定片２０を引き裂くための剪断強度を３０ｇｆ以上かつ２００ｇｆ以下とするか、固定片２０の剪断強度を３００ｇｆ以下とし、かつ、固定片２０の一部にミシン目や切り欠き部等の脆弱部を設けておくことで、固定片２０と着用下着３０との固定を簡単に解除することができる。すなわち、体液吸収具１を使用後、吸収具本体１０を着用下着から引き剥がすか、或いは固定片２０を破るだけで、体液吸収具１を着用下着３０から取り外して廃棄することが可能となるため、衛生的にも優れた効果が得られる。なお、前述のような好ましい剪断強度を得るために行った剪断強度試験は、固定片２０に用いる素材（例えばレーヨン不織布）を５ｃｍ×１５ｃｍに切り出した試験片の長手方向に、試験片の一方の側端から２ｃｍの位置に２０〜３０ｍｍ程度の切り込みを設け、この切れ込みを設けた幅２ｃｍの試験片の一部分と、残りの３ｃｍの試験片の一部分をそれぞれ掴み幅５ｃｍの引張試験機に取り付け、３００ｍｍ／ｍｉｎのスピードで試験片を左右に引き裂くように引っ張ることで、前記試験片の一部（２ｃｍ幅）が破断していく時の凸点を測定し、これらの凸点値の平均値を試験片の剪断強度とするものである。
【００３０】
また、固定片２０の他の形態として、例えば図６に示すような細長い形状を有する固定片２０’が考えられる。固定片２０’は粘着部を有していないため、着用下着に対して結ぶことによって固定できるような構造、すなわち細長い紐状の形状であることが好ましい。この場合、固定片２０’の引張強度は粘着部等で固定する場合と異なり、１５００ｇｆ以上の強度が望ましい。幅ｗ２については、結びやすさの点から或る程度小さくしなければならない。具体的には、幅ｗ２は１ｍｍ以上かつ３０ｍｍ以下であれば使用可能であるが、より好ましくは５ｍｍ〜１０ｍｍ程度とする。
【００３１】
また、固定片２０がトイレ等の排水管を円滑に流れる程度の大きさとすると、例えばポリエチレン樹脂、ポリエステル樹脂、ポリプロピレン樹脂、高密度ポリエチレン、低密度ポリエチレンのような非水解性の素材を用いて形成することも可能となる。
【００３２】
また、固定片２０、２０’を設ける位置については、前述の実施例において示したように、吸収層１２および裏面層１３の間に設けてもよいが、本発明はこれに限られたものではない。すなわち、固定片を表面層１１と吸収層１２との間に設けてもよく、また、吸収具本体１０の両側端にそれぞれ固定片２１，２２を貼り付けることで、同様の体液吸収具を形成してもよい。また、固定片の素材を、表面層や吸収層、または裏面層の素材と一体的に形成することも可能である。例えば、裏面層１３’’と固定片２３とを一体的に作成した場合の断面図を図７に示す。この場合、固定片２３を用いて着用下着に対して体液吸収具１を固定する際に固定片２３の厚さが大きくなりすぎると曲がりにくくなって着用下着３０への固定が困難になるため、予め適度な厚さに設定するか、固定片の一部分に熱圧着等の手段によって折り目を設け、曲がり易さを確保するようにしておくことが望ましい。特に、前述のような折り目を設けることで、吸収具本体に吸収された体液等の水分が、固定片にまで浸透することを防止する役割を持たせるという効果が期待できる。
【００３３】
次に、本発明の実施形態に係る体液吸収具の製造方法について説明する。図８に示すＳ１〜Ｓ６は、本発明の実施形態に係る体液吸収具の製造工程を模式的に示した側面図であり、図９は該製造工程におけるホットメルト型接着剤塗工の様子を模式的に示した斜視図である。
【００３４】
図８におけるＳ１は、ローラ４０から引き出した裏面層シート５３の上面に、塗工装置６０によりホットメルト型接着剤Ｈを塗布する工程を示す。次に、工程Ｓ２において、予め所定の形状に打ち抜かれた固定片５４を裏面層シート５３上に載置し、裏面層シート５３に貼り合わせた後、固定片５４の一部に接着剤Ｈを塗布する。
【００３５】
次に、予め所定の形状に成形された吸収層５２を裏面層シート５３および固定片５４と重なるように載置し、貼り合わせ、吸収層５２の上面に接着剤Ｈを塗布する（Ｓ３）。その後、ローラ４１から引き出された表面層シート５１を、固定片５４および吸収層５２を覆うように載置し、貼り合わせることで積層シート５０を形成する（Ｓ４）。そして、成形手段７０によって積層シート５０を熱圧着し、所望の形に打ち抜き成形した後（Ｓ５）、Ｓ６として裏面層シート５３の下面の一部および固定片５４の下面の一部に予め設けられている粘着部を覆うように剥離紙１５を貼り付けて、体液吸収具１を完成させる。
【００３６】
なお、裏面層と固定片を一体的に成形する場合においては、前述の工程Ｓ２は不要であり、最後の打ち抜き成形の工程で所望の形に打ち抜くことで、体液吸収具が完成する。また、固定片に設ける折り目は、積層シート５０に熱圧着を施す際に併せて設けることが好ましい。
【００３７】
以上本発明の実施形態について詳細に説明したが、本発明は上記実施形態に制限されるものではなく種々の変更が可能である。例えば、接着剤Ｈは裏面層シート等の上面ではなく、固定片５４の下面や、吸収体シート５２の下面、表面層の下面に塗布してもよい。
【００３８】
また、体液吸収具の形状はその用途に合わせて適宜変更可能であり、これらの変更は打ち抜き成形等の工程等で調整することが好ましい。さらに、固定片を設ける数や位置等についても、必要に応じて適宜変更可能であって、本発明は、例えば図１０に示すように、吸収具本体の長手方向の両端部付近から延びるような、粘着部２１０を含む固定片２００の実施形態も含むものとする。さらに、図１１に示すような形状の固定片２０１を、粘着部２１１を用いて着用下着へ固定してもよい。このような実施形態の場合、吸収具本体の長手方向の両端部を押さえつけるように固定することができるため、使用時のずれや撚れをより効果的に抑えることが可能となる。このように、本発明に係る体液吸収具に用いる固定片としては、吸収具本体の幅よりも十分長い幅を有し、着用下着に巻回させて吸収具本体を固定できるような形状であることが好ましい。さらに、本出願でいう固定片は、前述のように細長い形状のもののみに限られたものではなく、図１２に示すような幅広い面（固定片２０２、粘着部２１２）を有するものであってもよいことは言うまでもない。なお、図１０、１１、１２に示す実施形態においては、吸収具本体の幅Ｗよりも固定片２００、２０１、２０２の幅（Ｌ１、Ｌ２、Ｌ３）は２〜３倍程度長いものとする。
【００３９】
【発明の効果】
本発明に係る体液吸収具は、水解性を有する体液透過性の表面層と、水解性を有する裏面層と、これらの間に配置された水解性を有する吸収層とを備えた吸収具本体および、該吸収具本体から両側方へ延び、着用下着の股当て部に巻回させて前記吸収具本体を固定するための固定片を備えているため、水解性の高い体液吸収具を、使用後に着用下着より取り外す際に、材破現象を起こすことなく取り外すことが可能となる。
【図面の簡単な説明】
【図１】（Ａ）は、本発明の第１の実施形態に係る体液吸収具の斜視図であり、（Ｂ）はその分解斜視図である。
【図２】（Ａ）は、図１（Ａ）に示したＩ−Ｉ線に沿った体液吸収具の縦断面図であり、（Ｂ）は、Ｊ−Ｊ線に沿った体液吸収具の横断面図である。
【図３】図１に示す体液吸収具を、着用下着に固定した状態を示す断面図である。
【図４】（Ａ）は、本発明の第２の実施形態に係る体液吸収具の斜視図であり、（Ｂ）はＩ−Ｉ線に沿った体液吸収具の縦断面図である。
【図５】吸収具本体１０の裏面に粘着部が塗布されている様子を示す正面図である。
【図６】（Ａ）は、本発明の第３の実施形態に係る体液吸収具の斜視図であり、（Ｂ）はＩ−Ｉ線に沿った体液吸収具の断面図である。
【図７】本発明の第４の実施形態であって、裏面層と固定片を一体的に形成した体液吸収具を示す横断面図である。
【図８】本発明の実施形態に係る体液吸収具の製造工程の一部を模式的に示した側面図である。
【図９】図８に示す製造工程におけるホットメルト型接着剤塗工の様子を模式的に示した斜視図である。
【図１０】本発明に係る体液吸収具について、固定片の他の実施形態を用いた様子を示す正面図である。
【図１１】本発明に係る体液吸収具について、固定片のさらに他の実施形態を用いた様子を示す正面図である。
【図１２】本発明に係る体液吸収具について、固定片のさらに他の実施形態を用いた様子を示す正面図である。
【符号の説明】
１０  体液吸収具
１１  表面層
１１ａ  外周シール部
１２  吸収層
１３  裏面層
１４  粘着部
１５  剥離紙
２０  固定片
３０  着用下着
【図１】
2004298596.tif 000003
【図２】
2004298596.tif 000004
【図３】
2004298596.tif 000005
【図４】
2004298596.tif 000006
【図５】
2004298596.tif 000007
【図６】
2004298596.tif 000008
【図７】
2004298596.tif 000009
【図８】
2004298596.tif 000010
【図９】
2004298596.tif 000011
【図１０】
2004298596.tif 000012
【図１１】
2004298596.tif 000013
【図１２】
2004298596.tif 000014